(57)【要約】      （修正有）【課題】生活環境における放射線量を長期間に亘り正確かつ安定的に測定して表示することができる放射線量測定表示装置を提供する。【解決手段】屋外に恒常的に設置され放射線量を測定して表示する放射線量測定表示装置は、立設される１本のポール１と、ポール１に高さ位置および向きを可変に取り付けられ、放射線量を測定する測定回路を収容したコントロールボックス２を備える。さらに、ポール１の上部に向きを可変に取り付けられ、測定回路により測定された放射線量を表示する表示部３とを備え、少なくともコントロールボックス２の測定部位を含めて、チリやホコリに対応したセルフクリーニング機能を備えている。【選択図】図１
0003172359.tif 000002
【実用新案登録請求の範囲】
【請求項１】
屋外に恒常的に設置され放射線量を測定して表示する装置であって、
立設される１本のポールと、
前記１本のポールに高さ位置および向きを可変に取り付けられ、放射線量を測定する測定部と、
前記１本のポールに高さ位置および向きを可変に取り付けられ、前記測定部により測定された放射線量を表示する表示部と
を備え、少なくとも前記測定部にセルフクリーニング処理が施されていることを特徴とする放射線量測定表示装置。
【請求項２】
請求項１記載の放射線量測定表示装置において、
前記１本のポールの上部に向きを可変に取り付けられた太陽光パネルと、
前記測定部に設けられた蓄電部と
をさらに備え、
前記太陽光パネルから供給された電力を前記蓄電部に蓄電すると共に、該蓄電部から供給される電力により前記測定部における放射線量の測定および前記表示部における表示を連続的または所定の周期で実行することを特徴とする放射線量測定表示装置。
【請求項３】
請求項１または２記載の放射線量測定表示装置において、
前記測定部に設けられ、外部とデータ通信可能な通信部とをさらに備え、
前記通信部は、測定部により測定された放射線量を外部へ送信することを特徴とする放射線量測定表示装置。
【考案の詳細な説明】
【技術分野】
【０００１】
本考案は、屋外に恒常的に設置され放射線量を測定して表示する放射線量測定表示装置に関する。
【背景技術】
【０００２】
従来、この種の装置としては、下記特許文献１に示すように、太陽光パネルと、蓄電装置と、電光掲示板と、制御装置とを備え、温度センサおよび湿度センサ等から送信された測定結果を制御装置を介して電光掲示板に表示する道路用表示装置が知られている。
特許文献１、図２参照）。
【先行技術文献】
【特許文献】
【０００３】
【特許文献１】特開平９−２２２５７号公報
【考案の概要】
【考案が解決しようとする課題】
【０００４】
しかしながら、従来の道路用表示装置では、温度や湿度を電光掲示板に掲示して報知することができるものの、放射線量を測定して表示するものではなかった。ここで、従来の道路用表示装置に放射線量の測定部を設けることも考えられるが、原子力災害等で飛散した放射性物質による放射線量を測定する際には、測定高さにより測定値が変化してしまうという問題がある。さらには、一度飛散した放射性物質はチリやホコリとなり再飛散し得るため、従来の道路用表示装置に放射線量の測定部を設けただけでは、長期間に亘り正確な放射線量の測定を安定的に行うことは困難であった。
【０００５】
以上の事情に鑑みて、本考案は、生活環境における放射線量を長期間に亘り正確かつ安定的に測定して表示することができる放射線量測定表示装置を提供することを目的とする。
【課題を解決するための手段】
【０００６】
上記目的を達成するために、第１考案は、屋外に恒常的に設置され放射線量を測定して表示する装置であって、立設される１本のポールと、前記１本のポールに高さ位置および向きを可変に取り付けられ、放射線量を測定する測定部と、前記１本のポールに高さ位置および向きを可変に取り付けられ、前記測定部により測定された放射線量を表示する表示部とを備え、少なくとも前記測定部にセルフクリーニング処理が施されていることを特徴とする。
【０００７】
第１考案の放射線量測定表示装置によれば、立設される１本のポールに測定部および表示部が高さ位置および向きを可変に取り付けられる。そのため、通常の測定位置を１００ｃｍ、公園や小学校など子供を中心とする生活環境では測定位置を５０ｃｍなどとして、測定部を人の生活環境に合わせることができる。
【０００８】
また、測定部および表示部の向きをそれぞれ変化させることができるため、例えば、幹線道路に隣接して当該放射線量測定表示装置を設置する場合には、測定部を車道と対向しないように設けて、車による泥の跳ねなどの影響を小さくすることができると共に、表示部を車道側に向けて測定した放射線量を見えやすく表示することができる。
【０００９】
さらに、少なくとも測定部にセルフクリーニング処理を施すことで、風雨等により放射性物質を含むチリやホコリが測定部に付着した場合にも、セルフクリーニング機能によりこれを除去することができる。
【００１０】
このように、第１考案の放射線量測定表示装置によれば、生活環境における放射線量を長期間に亘り正確かつ安定的に測定して表示することができる。
【００１１】
第２考案の放射線量測定表示装置は、第１考案において、前記１本のポールの上部に向きを可変に取り付けられた太陽光パネルと、前記測定部に設けられた蓄電部とをさらに備え、前記太陽光パネルから供給された電力を前記蓄電部に蓄電すると共に、該蓄電部から供給される電力により前記測定部における放射線量の測定および前記表示部における表示を連続的または所定の周期で実行することを特徴とする。
【００１２】
第２考案の放射線量測定表示装置によれば、太陽光パネルから供給された電力を日中に蓄電部に蓄電し、蓄電した電力を用いて夜間でも放射線量の測定および表示を行うことができる。このように、第２考案の放射線量測定表示装置によれば、外部電源を不要として、生活環境における放射線量を自立的に長期間に亘り正確かつ安定的に測定して表示することができる。
【００１３】
第３考案の放射線量測定表示装置は、第１または第２考案において、前記測定部に設けられ、外部とデータ通信可能な通信部とをさらに備え、前記通信部は、測定部により測定された放射線量を外部へ送信することを特徴とする。
【００１４】
第３考案の放射線量測定表示装置によれば、測定部により測定された放射線量を外部に送信することが可能となる。そのため、生活環境における放射線量を長期間に亘り正確かつ安定的に測定してこれをその場所で表示部に表示することができると共に、外部でもその測定結果に基づく表示処理やデータの統計処理が可能となる。
【図面の簡単な説明】
【００１５】
【図１】本実施形態の放射線量測定表示装置の全体構成図。
【図２】本実施形態の放射線量測定表示装置の回路構成を示す説明図。
【考案を実施するための形態】
【００１６】
図１を参照して、本考案の一実施形態としての放射線量測定表示装置の全体構成について説明する。
【００１７】
本実施形態の放射線量測定表示装置は、屋外に恒常的に設置され放射線量を測定して表示する装置であって、１本のポール１と、コントロールボックス２と、表示部３と、太陽光パネル４とを備える。
【００１８】
ポール１は、コントロールボックス２、表示部３および太陽光パネル４が取り付けられる金属製のポールであって、下部にベースプレート５を備える。ベースプレート５は、地中に予め固定されたアンカーボルトが挿通する貫通孔（図示省略）が複数設けられており、貫通孔にアンカーボルトを挿通した状態でナットで締結されることにより、立設される。
【００１９】
コントロールボックス２、表示部３および太陽光パネル４は、それぞれその背面側（ポール１と当接する側）に平リブを設けて平リブ用取付金物等によって、ポール１に高さ位置および方向を可変に取り付けられる。なお、取付金物は、これに限定されるものではなく、金属製の結束バンド等を介してポール１に取り付けられてもよい。
【００２０】
コントロールボックス２は、防水性の筐体であって、内部に放射線量を測定する測定回路等を備える。コントロールボックス２は、ポール１に対して地上１００ｃｍに設置されて、通常想定される人の生活環境における放射線量が測定可能となっている。なお、コントロールボックス２に収納される回路構成については、図２を参照して後述する。
【００２１】
表示部３は、ＬＥＤによる７セグメント表示を複数備える表示パネルであって、コントロールボックス内の測定回路からの出力値が表示される。表示部３は、ポール１に対して地上２００ｃｍに、表示方向が報知に適した向きとなるように設置される。報知に適した向きとしては、車道を走行する車の乗員からの視認性や歩行者からの視認性が良い向きが挙げられる。
【００２２】
太陽光パネル４は、光エネルギーを電気エネルギーに変換するいわゆる太陽電池パネルであって、当該放射線量測定表示装置を駆動するのに適した電力を出力する。太陽光パネル４は、ポール１の上部に、日中の直射日光が多く当るように南側を向けて設置される。
【００２３】
以上のように構成された放射線量測定表示装置において、本実施形態では、太陽光パネル４を除く、ポール１、コントロールボックス２および表示部３にセルフクリーニング処理が施される。ここで、セルフクリーニング処理として、例えば、太陽光により活性酸素を発生しこの活性酸素により表面の汚れを分解する光触媒塗料の塗布が施される。
【００２４】
なお、本実施形態では、太陽光パネル４を除くすべての部材にセルクリーニング処理を施したが、これに限定されるものではなく、コントロールボックス２や、コントロールボックス２の測定部位の周囲に限定してセルクリーニング処理を施してもよい。
【００２５】
次に、図２を参照して、コントロールボックス２内に収容される回路等について説明する。
【００２６】
コントロールボックス２内には、放射線量を測定する機能を有する測定回路１０と、太陽光パネル４から供給された電力を蓄電する蓄電部としてのバッテリ２０と、測定回路１０による放射線量の測定値を外部へ送信するための通信回路３０とを備える。
【００２７】
測定回路１０は、放射線量を測定するガイガー・ミュラー計数管１１と、ガイガー・ミュラー計数管１１に測定のための高電圧を印加するための高電圧発生回路１２と、ガイガー・ミュラー計数管１１による放射線量をパルスとして検出する計測パルス回路１３と、計測パルス回路１３により検出された放射線量のパルス数をカウントして放射線量として出力する信号処理部１４と、表示部３を所定の周期（例えば１秒毎）で駆動させる表示部駆動回路１５とを備える。
【００２８】
なお、測定回路１０においてガイガー・ミュラー計数管１１は、コントロールボックス２の下側に配置され、ガイガー・ミュラー計数管１１と対峙するコントロールボックス２の下面には直径５ｍｍの穴が複数形成されている。この穴によりガイガー・ミュラー計数管１１を外部に臨ませて測定精度を向上させることができると共に、直径５ｍｍ程度の穴であれば、風雨がコントロールボックス２内に侵入することがない。なお、直径５ｍｍの穴は、無くてもよい。
【００２９】
バッテリ２０は、１２Ｖのバッテリであって、その容量は、太陽光パネル４からの電力の供給が全く無い状態で表示部３を数週間程度表示可能なように選択される。
【００３０】
バッテリ２０と太陽光パネル４との間には、充電コントローラ２１が設けられており、これにより、バッテリ２０への印加電圧および印加電流が制御され、過充電時には遮断等の制御が行われる。
【００３１】
通信回路３０は、外部ネットワークとの間で無線通信を行うための回路であって、図示しないアンテナ部等を備える。なお、通信回路３０は、必ずしも外部ネットワークと常時接続されている必要はなく、一定の周期で（例えば、１時間毎に）外部ネットワークと接続して、その時点での放射線量の測定値を送信するようにしてもよい。
【００３２】
以上のように構成された放射線量測定表示装置の作動について説明する。
【００３３】
まず、測定回路１０の測定処理周期（例えば３分毎）で、ガイガー・ミュラー計数管１１で測定された測定値が信号処理部１４に保持され、信号処理部１４に保持された測定値が、表示部駆動回路１５により表示部３に２秒間隔で間欠表示される。なお、測定回路１０での測定値は、３分の間に複数回測定した測定値の平均値であってもよい。
【００３４】
これにより、放射線量測定表示装置が設定された場所の放射線量をリアルタイムで表示することができる。さらに、その測定値は、実際の生活環境における高さ（地表１００ｃｍ）におけるものであるため、当該装置を道路や公園など、地域住民の目に付き易い位置に恒常的に設置することで、原子力災害等の影響を受ける地域住民の不安を解消することができる。さらに、公園や小学校など子供を中心とする生活環境ではコントロールボックス２の取り付け位置を５０ｃｍに変更することで、実際に生活する人の生活環境に対応した測定値を提供することができる。
【００３５】
次に、１時間毎に通信回路３０を介して、測定回路１０による放射線量の測定値が外部ネットワークを介して、例えば、行政機関等へ送信される。
【００３６】
ここで、測定回路１０の測定処理に時間間隔を設け、表示部３への表示を間欠表示とすると共に、測定値の外部への送信に時間間隔を設けることで、バッテリ２０の消費電力を抑えることができる。
【００３７】
さらに、コントロールボックス２の測定部位を含めてセルフクリーニング機能を備えることで、風雨等により放射性物質を含むチリやホコリが付着した場合にも、これを除去することができ、長期的に安定して放射線量を正確に測定することができる。以上、詳しく説明したように、本実施形態の放射線量測定表示装置によれば、生活環境における放射線量を長期間に亘り正確かつ安定的に測定して表示することができる。
【符号の説明】
【００３８】
１…ポール、２…コントロールボックス（測定部）、３…表示部、４…太陽光パネル、１０…測定回路、１１…ガイガー・ミュラー計数管、２０…バッテリ（蓄電部）、３０…通信回路（通信部）。
【図１】
0003172359.tif 000003
【図２】
0003172359.tif 000004